【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
反応性モノマー混合物から形成されるシリコーンヒドロゲルであって、前記反応性モノマー混合物は、
ａ．１〜１５重量％の少なくとも１種のポリアミドであって、「ポリアミド」は、アミド基を含む繰り返し単位を含むポリマー及びコポリマーを指す、少なくとも１種のポリアミドと、
ｂ．４〜８個のシロキサン繰り返し単位を有する少なくとも１種の第１の単官能性ヒドロキシル置換ポリ（二置換シロキサン）と、
ｃ．１０〜２００個又は１０〜１００個のシロキサン繰り返し単位を有する単官能性ヒドロキシル置換ポリ（二置換シロキサン）及び１０〜２００個又は１０〜１００個のシロキサン繰り返し単位を有する多官能性ヒドロキシル置換ポリ（二置換シロキサン）並びにこれらの混合物からなる群から選択される、少なくとも１種の第２のヒドロキシル置換ポリ（二置換シロキサン）と、
ｄ．５〜３５重量％の少なくとも１種の親水性モノマーと、を含み、
前記第１のヒドロキシル置換直鎖ポリ（二置換シロキサン）及び前記第２の単官能性ヒドロキシル置換直鎖ポリ（二置換シロキサン）は、全ての第２のヒドロキシル置換ポリ（二置換シロキサン）の重量％に対する全ての第１のヒドロキシル置換直鎖ポリ（二置換シロキサン）の重量％の比が０．４〜１．３又は０．４〜１．０となる濃度で存在する、シリコーンヒドロゲル。
【請求項２】
（ａ）前記第１の単官能性ヒドロキシル置換ポリ（二置換シロキサン）は、式ＶＩＩ−１の化合物を含み、
【化１】
2019527262.tif 000001
式中、
Ｚは、Ｏ、Ｎ、Ｓ又はＮＣＨ２ＣＨ２Ｏから選択され、ＺがＯ又はＳであるとき、Ｒ２は存在せず、
Ｒ１は、独立してＨ又はメチルであり、
Ｒ２は、Ｈであるか又は１〜８個の炭素原子を含む直鎖、分岐鎖若しくは環状のアルキル基であり、前記アルキル基のいずれかは、少なくとも１つのヒドロキシ基、アミド、エーテル又はこれらの組み合わせにより更に置換されたものであってもよく、
Ｒ３及びＲ４は、独立して１〜８個の炭素原子を含む直鎖、分岐鎖又は環状のアルキル基であり、前記アルキル基のいずれかは、少なくとも１つのヒドロキシ基、アミド、エーテル又はこれらの組み合わせにより更に置換されたものであってもよく、Ｒ３及びＲ４は、独立してメチル、エチル若しくはフェニルから選択されるか、又はメチルであってもよく、
ｎは、４〜８であり、
Ｒ５は、１つ以上のヒドロキシル、アミド、エーテル又はこれらの組み合わせにより任意選択的に置換されたものであってもよい、直鎖又は分岐鎖Ｃ１〜Ｃ８アルキル基から選択され、かつ／或いは、
（ｂ）前記第２のヒドロキシル置換ポリ（二置換シロキサン）は、式ＶＩＩ−２の化合物を含み、
【化２】
2019527262.tif 000002
式中、Ｚは、Ｏ、Ｎ、Ｓ又はＮＣＨ２ＣＨ２Ｏから選択され、ＺがＯ又はＳであるとき、Ｒ２は存在せず、
Ｒ１は、独立してＨ又はメチルであり、
Ｒ２は、Ｈであるか又は１〜８個の炭素原子を含む直鎖、分岐鎖若しくは環状のアルキル基であり、前記アルキル基のいずれかは、少なくとも１つのヒドロキシ基、アミド、エーテル又はこれらの組み合わせにより更に置換されたものであってもよく、
Ｒ３及びＲ４は、独立して１〜８個の炭素原子を含む直鎖、分岐鎖又は環状のアルキル基であり、前記アルキル基のいずれかは、少なくとも１つのヒドロキシ基で更に置換されたものであってもよく、前記アルキル基は、アミド、エーテル又はこれらの組み合わせにより任意選択的に置換されたものであってもよく、Ｒ３及びＲ４は、独立してメチル、エチル若しくはフェニルから選択されるか、又はメチルであってもよく、
ｎは、シロキサン単位の数であり、１０〜２００又は１０〜１００又は１０〜５０又は１０〜２０又は１２〜１８であり、
Ｒ５は、１つ以上のヒドロキシル、アミド、エーテル又はこれらの組み合わせにより任意選択的に置換されたものであってもよい、直鎖又は分岐鎖Ｃ１〜Ｃ８アルキル基から選択され、かつ／或いは、
（ｃ）前記第２のヒドロキシル置換ポリ（二置換シロキサン）は、式ＸＩの二官能性ヒドロキシル置換ポリ（二置換シロキサン）を更に含み、
【化３】
2019527262.tif 000003
式中、
Ｒ１は、独立して水素原子又はメチル基であり、
Ｒ２及びＲ３は、独立して１〜８個の炭素原子を含む直鎖、分岐鎖若しくは環状のアルキル基であり、前記アルキル基のいずれかは、少なくとも１つのヒドロキシ基、アミド基、エーテル基、アミノ基、カルボキシル基、カルボニル基又はこれらの組み合わせにより更に置換されたものであってもよいか、又は、メチル、エチル及び−（ＣＨ２ＣＨ２Ｏ）ｘＯＣＨ３から選択され、ｘは、１〜２０であり、
ｎは、１〜２００である、請求項１に記載のシリコーンヒドロゲル。
【請求項３】
前記第１の単官能性ヒドロキシル置換ポリ（二置換シロキサン）及び前記第２のヒドロキシル置換ポリ（二置換シロキサン）は、４０〜７０重量％又は４５〜７０重量％の総濃度で前記反応性モノマー混合物中に存在する、請求項１又は２に記載のシリコーンヒドロゲル。
【請求項４】
（ａ）前記ポリアミドは、環状ポリアミド、非環状ポリアミド又は環状ポリアミドと非環状ポリアミドとの混合物を含み、かつ／或いは、
（ｂ）前記ポリアミドは、非環状ポリアミドである、請求項１〜３のいずれか一項に記載のシリコーンヒドロゲル。
【請求項５】
前記第１の単官能性ヒドロキシル置換ポリ（二置換シロキサン）又は前記第２のヒドロキシル置換ポリ（二置換シロキサン）は、式ＶＩＩａ〜式ＩＸｂのいずれかの単官能性ヒドロキシル置換ポリ（ジメチルシロキサン）を含み、
【化４】
2019527262.tif 000004
【化５】
2019527262.tif 000005
式中、Ｒ１は、メチル又はＨであり、ｎは、４〜３０、４〜８又は１０〜２０であり、Ｚは、Ｏ、Ｎ、Ｓ又はＮＣＨ２ＣＨ２Ｏから選択され、ＺがＯ又はＳであるとき、Ｒ２は存在せず、
Ｒ２は、１〜８個の炭素原子を含む直鎖、分岐鎖若しくは環状のアルキル基からなる群から独立して選択され、前記アルキル基のいずれかは、少なくとも１つのヒドロキシ基で更に置換されたものであってもよく、前記アルキル基は、アミド、エーテル又はこれらの組み合わせにより任意選択的に置換されたものであってもよく、
ｎ１及びｎ２は、独立して４〜１００、４〜５０、又は４〜２５であり、
ｎ３は、１〜５０、１〜２０又は１〜１０であり、
Ｒ５は、直鎖若しくは分岐鎖Ｃ１〜Ｃ８アルキル基から選択され、前記アルキル基は、１つ以上のヒドロキシル基、アミド基、エーテル基、式ＣｆＨｇ（ＯＨ）ｈを有し、式中、ｆ＝１〜８かつｇ＋ｈ＝２ｆ＋１である直鎖若しくは分岐鎖Ｃ１〜Ｃ８基及び式ＣｆＨｇ（ＯＨ）ｈを有し、式中、ｆ＝１〜８かつｇ＋ｈ＝２ｆ−１である環状Ｃ１〜Ｃ８基から選択されるポリヒドロキシル基並びにこれらの組み合わせにより任意選択的に置換されたものであってもよいか、又は、Ｒ５は、メチル、ブチル、若しくはヒドロキシルエチル、ヒドロキシルプロピル、ヒドロキシルブチル、ヒドロキシルペンチル及び２，３−ジヒドロキシプロピルを含むヒドロキシル置換Ｃ２〜Ｃ５アルキルから選択されてもよく、
ａは、前記第１のヒドロキシル含有シリコーン成分については４〜８であり、前記第２のヒドロキシル含有シリコーン成分については４〜１００である、請求項１〜４のいずれか一項に記載のシリコーンヒドロゲル。
【請求項６】
前記第２のヒドロキシル置換ポリ（二置換シロキサン）は、１５個のシロキサン繰り返し単位を有するモノ−（２−ヒドロキシ−３−メタクリルオキシプロピル）−プロピルエーテル末端モノ−ｎ−ブチル末端ポリジメチルシロキサン（ＯＨ−ｍＰＤＭＳ）を含む、請求項１〜５のいずれか一項に記載のシリコーンヒドロゲル。
【請求項７】
（ａ）前記親水性モノマーは、（メタ）アクリレート、（メタ）アクリルアミド、スチレン、Ｎ−ビニルラクタム、Ｎ−ビニルアミド、Ｏ−ビニルカルバメート、Ｏ−ビニルカーボネート、ビニルエーテル、ビニルエステル、ビニル、アリル及びこれらの組み合わせからなる群から選択される反応性基を含み、かつ／又は、
（ｂ）前記親水性モノマーは、１５〜３５重量％の量で前記反応性モノマー混合物中に存在する、請求項１に記載のシリコーンヒドロゲル。
【請求項８】
少なくとも１種の荷電成分を更に含む、請求項１〜７のいずれか一項に記載のシリコーンヒドロゲル。
【請求項９】
前記第２のヒドロキシル置換ポリ（二置換シロキサン）は、少なくとも１種の式ＸＩＩの化合物を含み、
【化６】
2019527262.tif 000006
式中、Ｒ１は、独立して水素原子又はメチル基であり、Ｚは、Ｏ、Ｎ、Ｓ又はＮＣＨ２ＣＨ２Ｏから選択され、Ｚ＝Ｏ及びＳであるとき、Ｒ２は不要であり、
Ｒ２は、Ｈ又は１〜８個の炭素原子を含む直鎖、分岐鎖若しくは環状のアルキル基であって、前記アルキル基のいずれかは、少なくとも１つのヒドロキシ基、アミド基、エーテル基、アミノ基、カルボキシル基、カルボニル基又はこれらの組み合わせにより更に置換されたものであってもよい、アルキル基；１つ以上のヒドロキシル、アミノ、アミド、エーテル、カルボニル、カルボキシル又はこれらの組み合わせにより任意選択的に置換される、直鎖又は分岐鎖アルキレンオキシ基、具体的にはエチレンオキシ基、ｐが、１〜２００又は１〜１００又は１〜５０又は１〜２５又は１〜２０である［ＣＨ２ＣＨ２Ｏ］ｐ；１つ以上のヒドロキシル、アミノ、アミド、エーテル、カルボニル、カルボキシル又はこれらの組み合わせにより任意選択的に置換される、Ｃ１〜Ｃ６直鎖又は分岐鎖フルオロアルキル基；置換又は無置換のアリール基、具体的にはフェニル基であって、置換基は、ハロゲン、ヒドロキシル、アルコキシ、アルキルカルボニル、カルボキシ、又はハロゲン基、ヒドロキシル基、アルコキシ基、アルキルカルボニル基、カルボキシル基若しくはこれらの組み合わせにより更に置換されたものであってもよい直鎖又は分岐鎖又は環状のアルキル基から選択される、アリール基からなる群から選択され、
ｎ１及びｎ２は、独立して４〜１００、４〜５０、又は４〜２５から選択され、
ｎ３は、１〜５０、１〜２０及び１〜１０である、請求項１に記載のシリコーンヒドロゲル。
【請求項１０】
前記親水性モノマーは、親水性アミドモノマーから選択され、任意選択的に、
（ａ）前記反応性モノマー混合物は、３０重量％未満、又は２５重量％未満又は２０重量％未満の親水性アミドモノマーを含み、かつ／或いは、
（ｂ）前記親水性アミドモノマーは、前記反応性混合物中に５〜２８重量％、又は５〜２５重量％、又は８〜２０重量％の量で含まれている、請求項１に記載のシリコーンヒドロゲル。
【請求項１１】
（ａ）前記親水性モノマーは、Ｎ，Ｎ−ジメチルアクリルアミド、アクリルアミド、エチレングリコールビニルエーテル（ＥＧＶＥ）、ジ（エチレングリコール）ビニルエーテル（ＤＥＧＶＥ）、Ｎ−ビニルピロリドン（ＮＶＰ）、１−メチル−３−メチレン−２−ピロリドン、１−メチル−５−メチレン−２−ピロリドン、５−メチル−３−メチレン−２−ピロリドン、１−エチル−５−メチレン−２−ピロリドン、Ｎ−メチル−３−メチレン−２−ピロリドン、５−エチル−３−メチレン−２−ピロリドン、１−ｎ−プロピル−３−メチレン−２−ピロリドン、１−ｎ−プロピル−５−メチレン−２−ピロリドン、１−イソプロピル−３−メチレン−２−ピロリドン、１−イソプロピル−５−メチレン−２−ピロリドン、Ｎ−ビニル−Ｎ−メチルアセトアミド（ＶＭＡ）、Ｎ−ビニル−Ｎ−エチルアセトアミド、Ｎ−ビニル−Ｎ−エチルホルムアミド、Ｎ−ビニルホルムアミド、Ｎ−ビニルアセトアミド、Ｎ−ビニルイソプロピルアミド、アリルアルコール、Ｎ−ビニルカプロラクタム、Ｎ−２−ヒドロキシエチルビニルカルバメート、Ｎ−カルボキシ−β−アラニンＮ−ビニルエステル、Ｎ−カルボキシビニル−β−アラニン（ＶＩＮＡＬ）、Ｎ−カルボキシビニル−α−アラニン及びこれらの混合物からなる群から選択されるか、或いは、
（ｂ）前記親水性モノマーは、Ｎ，Ｎ−ジメチルアクリルアミド、Ｎ−ビニルピロリドン、Ｎ−ビニル−Ｎ−メチルアセトアミド、Ｎ−ビニルアセトアミド及び１−メチル−５−メチレン−２−ピロリドンから選択されるか、或いは、
（ｃ）前記親水性モノマーは、Ｎ−ビニルピロリドン、Ｎ，Ｎ−ジメチルアクリルアミド又はこれらの混合物を含む、請求項１に記載のシリコーンヒドロゲル。
【請求項１２】
前記シリコーンヒドロゲルは、酸素透過度が本明細書に記載の「酸素透過度」試験法を用いて測定された場合に、少なくとも８０バーラー、又は８０〜２００バーラー、９０〜１８０バーラー、１００〜１６０バーラーの酸素透過度（Ｄｋ）を有する、請求項１〜１１のいずれか一項に記載のシリコーンヒドロゲル。
【請求項１３】
前記荷電モノマーは、アニオン、カチオン、双性イオン、ベタイン及びこれらの混合物からなる群から選択される少なくとも１つのイオン性部位を含み、任意選択的に、
前記荷電モノマーは、少なくとも１つの重合性基を含む、請求項８に記載のシリコーンヒドロゲル。
【請求項１４】
前記荷電モノマーは、少なくとも１つのカルボン酸基を含み、任意選択的に、
（ａ）前記荷電モノマーは、（メタ）アクリル酸、フマル酸、マレイン酸、イタコン酸、クロトン酸、桂皮酸、ビニル安息香酸、フマル酸のモノエステル、マレイン酸のモノエステル、及びイタコン酸のモノエステル並びにこれらの混合物からなる群から選択される、少なくとも１種のカルボン酸モノマーを含むか、又は、
（ｂ）前記荷電モノマーは、アニオン性モノマーとカチオン性モノマーとの混合物を含むか、又は、
（ｃ）前記荷電モノマーは、（メタ）アクリル酸、Ｎ−［（エテニルオキシ）カルボニル］−β−アラニン（ＶＩＮＡＬ）、３−アクリルアミドプロパン酸（ＡＣＡ１）、５−アクリルアミドプロパン酸（ＡＣＡ２）、３−アクリルアミド−３−メチルブタン酸（ＡＭＢＡ）、２−（メタクリロイルオキシ）エチルトリメチルアンモニウムクロリド（Ｑ塩）、２−アクリルアミド−２−メチルプロパンスルホン酸（ＡＭＰＳ）、１−プロパンアミニウム，Ｎ−（２−カルボキシエチル）−Ｎ，Ｎ−ジメチル−３−［（１−オキソ−２−プロペン−１−イル）アミノ］−，分子内塩（ＣＢＴ、カルボキシベタイン）、１−プロパンアミニウム，Ｎ，Ｎ−ジメチル−Ｎ−［３−［（１−オキソ−２−プロペン−１−イル）アミノ］プロピル］−３−スルホ−，分子内塩（ＳＢＴ、スルホベタイン）、３，５−ジオキサ−８−アザ−４−ホスファウンデカ−１０−エン−１−アミニウム、４−ヒドロキシ−Ｎ，Ｎ，Ｎ−トリメチル−９−オキソ−，分子内塩，４−オキシド（９ＣＩ）ホスホベタイン（ＰＢＴ）、２−メタクリロイルオキシエチルホスホリルコリン、３−（ジメチル（４−ビニルベンジル）アンモニオ）プロパン−１−スルホナート（ＤＭＶＢＡＰＳ）、３−（（３−アクリルアミドプロピル）ジメチルアンモニオ）プロパン−１−スルホナート（ＡＭＰＤＡＰＳ）、３−（（３−メタクリルアミドプロピル）ジメチルアンモニオ）プロパン−１−スルホナート（ＭＡＭＰＤＡＰＳ）、３−（（３−（アクリロイルオキシ）プロピル）ジメチルアンモニオ）プロパン−１−スルホナート（ＡＰＤＡＰＳ）、メタクリロイルオキシ）プロピル）ジメチルアンモニオ）プロパン−１−スルホナート（ＭＡＰＤＡＰＳ）及びこれらの混合物からなる群から選択されるか、又は、
（ｄ）前記荷電モノマーは、（メタ）アクリル酸、Ｎ−［（エテニルオキシ）カルボニル］−β−アラニン（ＶＩＮＡＬ）、３−アクリルアミドプロパン酸（ＡＣＡ１）、５−アクリルアミドプロパン酸（ＡＣＡ２）及びこれらの混合物からなる群から選択される、請求項１３に記載のシリコーンヒドロゲル。
【請求項１５】
前記少なくとも１種の荷電モノマーは、前記反応性モノマー混合物の総重量に対して、最大５重量％、又は０．５〜５重量％、又は０．５〜３重量％、又は０．５〜２重量％、又は１〜５重量％、又は１〜３重量％を構成する、請求項８又は１４に記載のシリコーンヒドロゲル。
【請求項１６】
アクリル酸、メタクリル酸及びこれらの混合物から選択される荷電モノマーを含む、請求項１〜１５のいずれか一項に記載のシリコーンヒドロゲル。
【請求項１７】
（ａ）前記ポリアミドは、ＰＶＭＡ、ＰＮＶＡ及びポリ［Ｎ−ビニルＮ−アルキルアセトアミド］並びにこれらのコポリマー及び混合物からなる群から選択される非環状ポリアミドを含み、前記Ｎ−アルキル基は、１〜５個の炭素原子を含む直鎖及び分岐鎖アルキル基からなる群から選択され、かつ／或いは、
（ｂ）前記ポリアミドは、ポリ（Ｎ−ビニル−Ｎ−メチルアセトアミド）、ポリ（Ｎ−ビニルアセトアミド）、ポリジメチルアクリルアミド又はこれらの２種以上の混合物を含み、かつ／或いは、
（ｃ）前記ポリアミドは、コポリマーを含み、任意選択的に、
前記コポリマーは、Ｎ−ビニルアミド、アクリルアミド、ヒドロキシアルキル（メタ）アクリレート、アルキル（メタ）アクリレート、Ｎ−ビニルピロリドン、Ｎ，Ｎ−ジメチルアクリルアミド、２−ヒドロキシエチルメタクリレート、酢酸ビニル、アクリロニトリル、ヒドロキシプロピルメタクリレート、２−ヒドロキシエチルアクリレート、メチルメタクリレート、ブチルメタクリレート、メタクリルオキシプロピルトリストリメチルシロキシシラン、シロキサン置換アクリレート又はメタクリレート及びこれらの混合物からなる群から選択される繰り返し単位を含む、請求項１に記載のシリコーンヒドロゲル。
【請求項１８】
前記ポリアミドは、式Ｉ又は式ＩＩの繰り返し単位を含み、
【化７】
2019527262.tif 000007
式中、Ｘは、直接結合、−（ＣＯ）−又は−（ＣＯ）−ＮＨＲｅ−であり、Ｒｅは、Ｃ１〜Ｃ３アルキル基であり、
Ｒａは、Ｈ、直鎖又は分岐鎖の置換又は無置換のＣ１〜Ｃ４アルキル基から選択され、
Ｒｂは、Ｈ、直鎖又は分岐鎖の置換又は無置換のＣ１〜Ｃ４アルキル基、最大２個の炭素原子を有するアミノ基、最大４個の炭素原子を有するアミド基及び最大２個の炭素原子を有するアルコキシ基から選択され、
Ｒｃは、Ｈ、直鎖若しくは分岐鎖の置換若しくは無置換のＣ１〜Ｃ４アルキル基、又はメチル、エトキシ、ヒドロキシエチル及びヒドロキシメチルから選択され、
Ｒｄは、Ｈ、直鎖若しくは分岐鎖の置換若しくは無置換のＣ１〜Ｃ４アルキル基、又はメチル、エトキシ、ヒドロキシエチル及びヒドロキシメチルから選択され、
Ｒａ及びＲｂ全体における炭素原子数は、８以下であり、Ｒｃ及びＲｄ全体における炭素原子数は、８以下であり、任意選択的に、
（ａ）前記ポリアミドは、式Ｉ又は式ＩＩに由来する少なくとも８０モル％の繰り返し単位を含むコポリマーであり、かつ／或いは、
（ｂ）Ｒｂは、直鎖又は分岐鎖の無置換Ｃ１〜Ｃ４アルキル基から選択される、請求項１に記載のシリコーンヒドロゲル。
【請求項１９】
前記ポリアミドは、全反応性成分に対して、前記反応性モノマー混合物の３〜１５重量％を構成するか、又は、
前記ポリアミドは、全反応性成分に対して、前記反応性混合物の３〜１２重量％を構成する、請求項１に記載のシリコーンヒドロゲル。
【請求項２０】
前記ポリアミドは、環状ポリアミドを含み、任意選択的に、
前記環状ポリアミドは、ポリビニルピロリドン（ＰＶＰ）を最大１５重量％の量、又は２〜１５重量％の範囲の量、又は５〜１５重量％の範囲の量で含む、請求項１〜１９のいずれか一項に記載のシリコーンヒドロゲル。
【請求項２１】
前記反応性モノマー混合物は、希釈剤、ＵＶ吸収化合物、医薬剤、抗菌性化合物、医薬化合物、栄養化合物、フォトクロミック化合物、反応性毛髪染料、顔料、共重合可能な染料、重合不能な染料、離型剤、コポリマー及びこれらの組み合わせからなる群から選択される、少なくとも１種の追加成分を更に含む、請求項１に記載のシリコーンヒドロゲル。
【請求項２２】
少なくとも１種のヒドロキシルアルキル（メタ）アクリレートモノマーを更に含み、任意選択的に、
（ａ）前記ヒドロキシアルキル（メタ）アクリレートモノマーは、２−ヒドロキシエチル（メタ）アクリレート、３−ヒドロキシプロピル（メタ）アクリレート、２−ヒドロキシプロピル（メタ）アクリレート、２，３−ジヒドロキシプロピル（メタ）アクリレート、２−ヒドロキシブチル（メタ）アクリレート、３−ヒドロキシブチル（メタ）アクリレート、１−ヒドロキシプロピル−２−（メタ）アクリレート、２−ヒドロキシ−２−メチルプロピル（メタ）アクリレート、３−ヒドロキシ−２，２−ジメチルプロピル（メタ）アクリレート、４−ヒドロキシブチル（メタ）アクリレート、グリセロール（メタ）アクリレート、ポリエチレングリコールモノメタクリレート及びこれらの混合物からなる群から選択されるか、或いは、
（ｂ）前記ヒドロキシアルキル（メタ）アクリレートモノマーは、２−ヒドロキシエチルメタクリレート、グリセロールメタクリレート、２−ヒドロキシプロピルメタクリレート、ヒドロキシブチルメタクリレート、３−ヒドロキシ−２，２−ジメチル−プロピルメタクリレート及びこれらの混合物からなる群から選択されるか、或いは、
（ｃ）前記ヒドロキシアルキル（メタ）アクリレートモノマーは、２−ヒドロキシエチルメタクリレート、３−ヒドロキシ−２，２−ジメチルプロピルメタクリレート、ヒドロキシブチルメタクリレート又はグリセロールメタクリレートからなる群から選択される、請求項１〜２１のいずれか一項に記載のシリコーンヒドロゲル。
【請求項２３】
請求項１〜２２のいずれか一項に記載のシリコーンヒドロゲルを含むコンタクトレンズ。
【請求項２４】
本明細書に記載の「酸素透過度」、「脂質取り込み」、「ＰＱ１取り込み」、「動的接触角」、及び、いずれかの「リゾチーム取り込み」試験法を用いて測定された場合に、Ｄｋは、８０バーラーよりも大きく、リゾチーム取り込みは、５０μｇ／レンズより多く、脂質取り込みは、１０μｇ／レンズ未満であり、ＰＱ１取り込みは、１５％未満であり、接触角は、５０°未満である、請求項２３に記載のコンタクトレンズ。
【請求項２５】
前記反応性モノマー混合物は、ヒドロキシル官能性を有さない少なくとも１種の追加のシリコーン含有化合物を更に含む、請求項１〜２２のいずれか一項に記載のシリコーンヒドロゲル。
【請求項２６】
反応性モノマー混合物から形成されるシリコーンヒドロゲルであって、前記反応性モノマー混合物は、
ａ．１〜１５重量％の少なくとも１種のポリアミドであって、「ポリアミド」は、アミド基を含む繰り返し単位を含むポリマー及びコポリマーを指す、少なくとも１種のポリアミドと、
ｂ．少なくとも１種のヒドロキシルシリコーン含有モノマーと、
ｃ．４〜８個のシロキサン繰り返し単位を有する少なくとも１種の第１のポリ（二置換シロキサン）と、１０〜２００個又は１０〜１００個のシロキサン繰り返し単位を有する単官能性ヒドロキシル置換ポリ（二置換シロキサン）及び１０〜２００個又は１０〜１００個のシロキサン繰り返し単位を有する多官能性ヒドロキシル置換ポリ（二置換シロキサン）並びにこれらの混合物からなる群から選択される、少なくとも１種の第２のヒドロキシル置換ポリ（二置換シロキサン）と、
ｄ．５〜２５重量％の少なくとも１種の親水性モノマーと、を含み、
前記第１のポリ（二置換シロキサン）及び前記第２のヒドロキシル置換ポリ（二置換シロキサン）は、全ての前記第２のヒドロキシル置換ポリ（二置換シロキサン）の重量％に対する全ての前記第１のポリ（二置換シロキサン）の重量％の比が０．４〜１．３又は０．４〜１．０となる濃度で存在する、シリコーンヒドロゲル。